(57)【要約】【課題】センターケース１０（遊技装置）内に入賞した遊技球を、センターケース１０内の球移送用回転体で移送した結果として、特賞を発生させるセンターケース１０内の特別入賞部に入賞させる遊技機において、球移送用回転体の球保持部に遊技球が誘導されても、移送途上で結果が判明し難いようにして、遊技者の興趣を向上させる。【解決手段】センターケース１０において、球保持部６３が外周に形成された球移送用回転体（第２回転体４７）の外周を囲む囲繞壁（大径円筒状部５９ｂ等）を設け、該囲繞壁に球保持部６３に保持された遊技球を流出させる複数の開口部５９ｃ，５９ｄ，７１を形成して、該開口部からの遊技球の流出先として複数の特別入賞部３９ａ，３９ｂ，３９ｃの何れかを夫々連通させ、前記開口部を閉鎖する閉鎖状態と前記開口部を開放する開放状態とに変換する変換部材７３ａ，７３ｂ，７３ｃを設ける。【選択図】図１７
2007215718.tif 000002
【特許請求の範囲】
【請求項１】
入賞部と、該入賞部より受け入れられた遊技球が流入する遊技空間部と、該遊技空間部の下流に配設された複数の入賞領域と、を有する遊技装置を備え、
前記複数の入賞領域の少なくとも１つに、入賞した遊技球を検出する球検出器を設け、該球検出器からの検出信号に基づいて賞態様を発生する遊技機において、
前記遊技空間部は、
円盤状の球移送用回転体を備えて、該球移送用回転体の周縁部を切り欠くことにより前記入賞部より受け入れられた遊技球を保持可能な球保持部を複数形成し、
前記球移送用回転体の外周を囲む囲繞壁を設け、該囲繞壁に前記球保持部に保持された遊技球を流出させる複数の開口部を形成して、該開口部からの遊技球の流出先として前記複数の入賞領域を夫々連通させ、
前記開口部を閉鎖する閉鎖状態と前記開口部を開放する開放状態とに変換する変換部材を有することを特徴とする遊技機。
【請求項２】
前記変換部材は、前記囲繞壁に沿って回転する回転壁と、該回転壁の外方に張り出した装飾部と、を有することを特徴とする請求項１に記載の遊技機。
【請求項３】
前記球移送用回転体と前記変換部材の回転壁とを同方向に回転させて回転周期を異ならせたことを特徴とする請求項２に記載の遊技機。
【請求項４】
前記複数の入賞領域のうち最下流にある最終入賞領域に対応する前記開口部の内側には、前記球保持部に保持された遊技球が、前記球移送用回転体の回転に伴って当該開口部に対応する位置まで回転移動した時に、当該開口部が前記変換部材によって閉鎖状態であったとしても、前記遊技球が前記球保持部から流出して、当該開口部が開放状態となるまで一時的に前記遊技球が待機する待機空間が形成され、前記球保持部から流出して当該待機空間に流入した遊技球は、当該開口部が開放状態になると、当該開口部を経由して当該待機空間から流出して前記最終入賞領域に入賞することを特徴とする請求項１〜３の何れかに記載の遊技機。
【発明の詳細な説明】
【技術分野】
【０００１】
本発明は、パチンコ機などの遊技機に関する。
【背景技術】
【０００２】
従来の遊技機としてのパチンコ遊技機は、遊技盤に遊技装置としてのセンターケースを備え、このセンターケースには、分別機構としての回転体が設けられ、この回転体の周縁に球保持部としての切り欠き部を異なる形状で複数形成し、センターケースに入賞し誘導部に導かれた遊技球を、該誘導部と対峙する切り欠き部に保持させ、夫々の切り欠き部と連通する異なる複数の樋のいずれかに移送するように構成されたものが、特許文献１に開示されている。
また、一般的に前記の複数の樋の少なくとも１つに球検出センサが設けられ、この球検出センサからの球検出信号を受けて変動入賞装置の可動部材を開放する特別遊技状態を発生するのである。
【０００３】
【特許文献１】特開２００５−１７７１３３号公報
【発明の開示】
【発明が解決しようとする課題】
【０００４】
ところで、前記の遊技機における分別機構では、遊技球が誘導部から回転体の切り欠き部に誘導された時点で、特別遊技状態が発生するか否かの結果が決まってしまうため、例えば、遊技球を一般領域として機能する樋（この樋を通過しても特別遊技状態が発生しない）に移送する切り欠き部に遊技球が誘導されると、この移送中の遊技球を遊技者は絶望感を抱きながら見ることになり、著しく興趣を減殺することとなる。
そこで本発明は、球移送用回転体の球保持部に遊技球が誘導されても、移送途上で結果が判明し難い遊技機の提供を目的とする。
【課題を解決するための手段】
【０００５】
本願請求項１に記載の遊技機は、入賞部と、該入賞部より受け入れられた遊技球が流入する遊技空間部と、該遊技空間部の下流に配設された複数の入賞領域と、を有する遊技装置を備え、
前記複数の入賞領域の少なくとも１つに、入賞した遊技球を検出する球検出器を設け、該球検出器からの検出信号に基づいて賞態様を発生する遊技機において、
前記遊技空間部は、
円盤状の球移送用回転体を備えて、該球移送用回転体の周縁部を切り欠くことにより前記入賞部より受け入れられた遊技球を保持可能な球保持部を複数形成し、
前記球移送用回転体の外周を囲む囲繞壁を設け、該囲繞壁に前記球保持部に保持された遊技球を流出させる複数の開口部を形成して、該開口部からの遊技球の流出先として前記複数の入賞領域を夫々連通させ、
前記開口部を閉鎖する閉鎖状態と前記開口部を開放する開放状態とに変換する変換部材を有することを特徴とする。
【０００６】
なお、本発明の好ましい態様として、例えば請求項２に記載のように、前記変換部材は、前記囲繞壁に沿って回転する回転壁と、該回転壁の外方に張り出した装飾部と、を有する構成としてもよい。
また、例えば請求項３に記載のように、前記球移送用回転体と前記変換部材の回転壁とを同方向に回転させて回転周期を異ならせた構成としてもよい。
【０００７】
また、例えば請求項４に記載のように、前記複数の入賞領域のうち最下流にある最終入賞領域に対応する前記開口部の内側には、前記球保持部に保持された遊技球が、前記球移送用回転体の回転に伴って当該開口部に対応する位置まで回転移動した時に、当該開口部が前記変換部材によって閉鎖状態であったとしても、前記遊技球が前記球保持部から流出して、当該開口部が開放状態となるまで一時的に前記遊技球が待機する待機空間が形成され、前記球保持部から流出して当該待機空間に流入した遊技球は、当該開口部が開放状態になると、当該開口部を経由して当該待機空間から流出して前記最終入賞領域に入賞する構成としてもよい。
【発明の効果】
【０００８】
請求項１に記載の遊技機によれば、球移送用回転体の各球保持部に保持された遊技球の各入賞領域への誘導が変換部材により許容されたり阻止されたりするので、球移送用回転体による遊技球の移送途上で結果が判明してしまうこと（少なくとも球保持部に誘導された時点で結果が判明してしまうこと）を防止できる。これにより、球移送用回転体による移送中の遊技球を遊技者は常に期待感を抱きながら見ることになり、興趣を格段に向上できる。
【０００９】
また、請求項２に記載の遊技機によれば、球移送用回転体により遊技球が移送される状態の視認性を妨げることなく変換部材を装飾できる。
また、請求項３に記載の遊技機によれば、遊技球を挟み込むトラブルの可能性を低減できる。というのは、球移送用回転体と回転壁とが逆回転だとすると、囲繞壁の開口部において、変換部材の回転壁と球移送用回転体とで遊技球を挟み込んでしまうトラブルが発生する可能性が高く、このトラブルが発生すると球移送用回転体及び変換部材が動かなくなり、遊技球の振り分けの支障となるが、球移送用回転体と回転壁とを同方向に回転させることにより、上記のように遊技球を挟み込んでしまう可能性を低くできる。また、球移送用回転体と回転壁の回転周期を異ならせることにより、これらを同方向に回転させる構成であるにもかかわらず、前記開口部を閉鎖状態と開放状態とに変換する変換部材としての機能を十分に実現できる。
【００１０】
また、請求項４に記載の遊技機によれば、最終入賞領域に対応する前記開口部が閉鎖状態であったとしても、球移送用回転体によって当該開口部の位置まで移送された遊技球は、前記待機空間内に流出し、その後に当該開口部が開放状態になった時に、最終入賞領域に流入する。このため、球移送用回転体の球保持部に保持されて移送される遊技球は、球移送用回転体が１回転するうちに、必ず何れかの入賞領域への入賞を確定させる。したがって、球移送用回転体で移送される遊技球の入賞領域の入賞先が長期間確定せず、遊技者がいらいらしてしまうといった不具合を回避できる。
【発明を実施するための最良の形態】
【００１１】
以下、本発明の実施の形態として、パチンコ機に適用した場合の形態例を、図面を参照して説明する。
Ａ．遊技盤の全体構成
図１は本形態例のパチンコ機の遊技盤の前面図である。
図１において、符号１は遊技盤であり、前面の略円形領域がガイドレール２で囲まれることにより遊技領域３が形成されている。
遊技盤１の前面には、図１に示すように、アウト球流入口４、センターケース１０、普通電動役物タイプの始動入賞口１１、変動入賞装置１２、一般入賞口１３〜１６、普図表示器１７、普図記憶表示器１８、普図始動ゲート１９、特図表示器２０、特図記憶表示器２１、状態表示器２２，２３、多数の障害釘（図示省略）などが設けられている。
【００１２】
センターケース１０は、本発明の遊技装置に相当し、遊技盤１の略中央に設けられる。遊技盤１を構成する基板（いわゆるベニヤ）には、このセンターケース１０をはめ込むためのセンターケース用開口（図示省略）が形成されており、センターケース１０は、このセンターケース用開口にはめ込まれて取り付けられる。このセンターケース１０の詳細構成は、後述する。
【００１３】
また、始動入賞口１１は、後述するように特図の始動入賞口として機能する入賞口であり、入賞口としての開口部分の開度を変化させる開閉部材１１ａを有する。この始動入賞口１１は、センターケース１０の中央部下方に配置されている。
また、変動入賞装置１２は、後述する大当りになったことを条件として開放される大入賞口１２ａを有する装置である。
【００１４】
次に、普図表示器１７は、いわゆる普図の表示を行う表示器（例えば点滅する複数のランプよりなるもの）である。
また、普図記憶表示器１８は、普図表示器１７の周囲４箇所に設けられた小さなランプよりなり、そのランプの点灯数によって、普図始動ゲート１９を遊技球が通過することにより発生した普図の始動記憶の数（この場合、上限数が４個）を表示するものである。
次に、特図表示器２０は、特図としての数字等を表示可能な７セグメントの表示器であり、始動入賞口１１への入賞により発生した特図の始動記憶に基づいて特図の変動表示を実行するためのものである。
また、特図記憶表示器２１は、特図表示器２０の周囲４箇所に設けられた小さなランプよりなり、そのランプの点灯数によって、始動入賞口１１への入賞により発生した始動記憶の数（この場合、上限数が４個）を表示するものである。
また、状態表示器２２は、特図記憶表示器２１の隣に設けられた２個の小さなランプよりなり、その点灯状態によって、特図の遊技状態を報知する。
また、状態表示器２３は、普図記憶表示器１８の隣に設けられた２個の小さなランプよりなり、その点灯状態によって、普図の遊技状態を報知する。
【００１５】
Ｂ．センターケースの構成
次に、本例のセンターケース１０の構成について、図２〜図１７を参照して説明する。
なお図２は、センターケースの前面図である。図３は、センターケースの前面側斜視図である。図４は、センターケースの裏面側斜視図である。図５は、センターケースから後述する第１回転体等を取り外した状態の前面側斜視図である。図６は、第１回転体の分解斜視図である。図７は、センターケースの後述するレンズユニット等を示す前面側斜視図である。図８は、センターケースのレンズユニットの分解斜視図である。図９は、センターケースの後述する第２回転体（球移送用回転体）等を示す前面側斜視図である。図１０は、センターケースの第２回転体を示す斜視図である。図１１は、センターケースの後述する第３回転体（変換部材）等を示す前面側斜視図である。図１２は、センターケースの後述する裏ベース等を示す裏面側斜視図である。図１３は、裏面側ケースと特別入賞部（入賞領域）を示す斜視図である。図１４は、図２におけるＡ−Ａ断面図である。図１５は、図２におけるＢ−Ｂ断面図である。図１６は、センターケースの囲繞壁等（後述する開口部５９ｄの閉鎖状態）を示す前面側斜視図である。図１７は、センターケースの囲繞壁等（開口部５９ｄの開放状態）を示す前面側斜視図である。
【００１６】
センターケース１０は、図３及び図４に示すように、前面側ケース３１と裏面側ケース３２とを有し、これらケースの内部に遊技空間部が形成されたものである。また、裏面側ケース３２の上面側には、後述する開閉部材３６,３７の駆動ユニット３３が取り付けられる。
なお本例の場合、前述の普図始動ゲート１９は、前記前面側ケース３１の左斜め下位置に前面側ケース３１と一体的に設けられている。
また、このセンターケース１０は、前後方向の一つの軸線を中心として主要部品が配置され組み立てられており、以下ではこの軸線をケース軸線という。
なお本例の場合、遊技空間部とは、後述する鎧部３５の切欠き３５ａ，３５ｂから流入した遊技球が存在する可能性のあるセンターケース１０内の空間を意味する。
【００１７】
ここで、前面側ケース３１は、内側が前後に開口した枠状のものである。この前面側ケース３１は、正面から見て概略円形状の側壁を有し、正面から見た内側の開口の形状が前記ケース軸線を中心とした概略円形状となっている。但し、図２や図３に示すように、右斜め下位置の側壁３１ａが部分的に半径方向に張り出した形状となっていて、これによって、この右斜め下位置に比較的広い拡大開口部３１ｂが形成されている。
また、この前面側ケース３１の内側の底部には、遊技球が転動可能ないわゆる球見せ用のステージ部３４が形成されている。
ステージ部３４は、ここに流入した遊技球をある程度の確率で始動入賞口１１へ誘導する。このステージ部３４へは、例えば普図始動ゲート１９を通過した遊技球が流入する構成となっている。例えばセンターケース１０の上に流下して左に流れ落ちた遊技球が、図示しない障害釘に当って、普図始動ゲート１９に流入し、ステージ部３４上に流れる構成となっている。なお、ステージ部３４上には、このように普図始動ゲート１９を経由した遊技球に限られず、例えば障害釘に当って跳ねた遊技球が前面から直接入ってくる構成であってもよい。
【００１８】
また、前面側ケース３１の上辺部には、遊技盤面よりも前方に突出する鎧部３５が設けられ、この鎧部３５を部分的に開閉する部材として、開閉部材３６，３７が設けられている。鎧部３５は、遊技球がセンターケース１０内に落下しないようにする部分であり、開閉部材３６，３７が閉状態にある限り、打ち込まれた遊技球を必ずセンターケース１０の左側又は右側に誘導する。この鎧部３５の頂点の左右両側の位置には、ここに落下する遊技球が流入可能な切欠き３５ａ，３５ｂが形成されている。そして、開閉部材３６，３７は、これら切欠き３５ａ，３５ｂに対応する位置にそれぞれ配置され、遊技盤面に沿って図２に矢印で示す方向にスライド可能に支持されて、各切欠き３５ａ，３５ｂを開放する開状態と、各切欠き３５ａ，３５ｂを閉鎖する閉状態とに動作可能となっている。
なお図２では、各開閉部材３６，３７が閉状態にある様子を示しており、また図２の矢印は、各開閉部材３６，３７が閉状態から開状態に向かう方向を示している。また図３では、各開閉部材３６，３７が開状態となったときの遊技球の流入経路も矢印で例示している。各開閉部材３６，３７が開状態になっていると、この図３の矢印に示すように、遊技球が上方からセンターケース１０内（即ち、遊技空間部内）に流入可能である。
【００１９】
次に、裏面側ケース３２は、前面側ケース３１の後面側に、前面側ケース３１の後面側を覆うように取り付けられる部材である。この裏面側ケース３２の奥壁中央（概略円形状の周壁の中心軸上の位置）には、図１３に示すように、後述する奥側外れ球誘導部材４８（図９に示す）等を配置するための円形状開口部３８が形成されている。この円形状開口部３８は、前記ケース軸線を中心として配置される。
なお、この裏面側ケース３２は、図１３に示すように、正面から見て概略円形状の側壁を、円形状開口部３８を中心とする外周位置に有し、前面側が開口した箱型の部材である。なお取付状態において、この裏面側ケース３２の側壁は、前面側ケース３１の側壁を後方へ延長するような状態に概略配置される。こうして、前面側ケース３１と裏面側ケース３２は、全体として、内側に後方に窪んだ概略円形状の凹室を有したセンターケース１０の外形部分を構成している。
【００２０】
そして、図１３に示すように、この裏面側ケース３２の右斜め下の側壁３２ａも、前述した前面側ケース３１と同様に、部分的に半径方向に張り出した形状となっていて、これによって、この右斜め下位置に比較的広い拡大空間部３２ｂ（後述する特別入賞部３９ｂ，３９ｃを設置できるスペース）が形成されている。
なお、裏面側ケース３２内は、前面側ケース３１内の開口を介して前面から視認可能であるが、前記拡大空間部３２ｂも前述した拡大開口部３１ｂを介して前面から視認可能である。
また、図９や図１３に示すように、裏面側ケース３２の奥壁の前面（円形状開口部３８よりも外周側の適宜位置）には、特別入賞部３９ａ，３９ｂ，３９ｃが形成されている。本例の場合、特別入賞部３９ａ（最も上流となる特別入賞部）は、正面から見て円形状開口部３８の左側位置に設けられ、その他の特別入賞部３９ｂ，３９ｃは、正面から見て円形状開口部３８の右斜め下位置（前述の拡大空間部３２ｂの位置）に設けられている。また、特別入賞部３９ｂ，３９ｃのうち、特別入賞部３９ｂは比較的上方に、最も下流となる特別入賞部３９ｃ（本発明の最終入賞領域に相当）は、その下方に配置されている。
【００２１】
また、図１３に示すように、これら特別入賞部３９ａ，３９ｂ，３９ｃには、それぞれ球検出器４０ａ，４０ｂ，４０ｃが設けられ、各特別入賞部３９ａ，３９ｂ，３９ｃに流入した遊技球がそれぞれ検出される構成となっている。なお、これら球検出器４０ａ，４０ｂ，４０ｃからの検出信号に基づいて発生する賞態様については後述する。
また図１３において符号３２ｃは、特別入賞部３９ａに流入した入賞球の排出流路（裏面側ケース３２の裏面に形成されたもの）を示す。また符合３２ｄは、この排出流路３２ｃの後面の壁を構成する部材を示す。また符合３２ｅは、特別入賞部３９ａの前面を覆う壁を構成する部材を示す。また符合３２ｆは、特別入賞部３９ｂの前面を覆う壁を構成する部材を示す。また符合３２ｇは、特別入賞部３９ｃの前面を覆う壁を構成する部材を示す。また符合３２ｈは、特別入賞部３９ｂ，３９ｃに流入した入賞球の排出流路（符号省略）の後面側を構成する部材を示す。
【００２２】
次に、駆動ユニット３３は、図４に示すように、駆動ユニット基板４１と、ソレノイド（アクチュエータ）４２と、回転軸４３と、駆動レバー４４と、を備える。なお、ソレノイド４２と回転軸４３と駆動レバー４４は、各開閉部材３６，３７に対応して、左右に１組ずつ（合計２組）設けられている。
駆動ユニット基板４１は、幅方向を鉛直方向とした姿勢で、センターケース１０の上面に固定され、遊技盤１に裏面側から取り付けられる基板である。ソレノイド４２と回転軸４３と駆動レバー４４は、この駆動ユニット基板４１の裏面に取り付けられている。
ソレノイド４２は、内部のコイルが励磁されることによって、出力部である可動片４２ａが下降位置から上昇位置へ動作するアクチュエータであり、コイルが励磁されていない常態では、内部の付勢手段によって可動片４２ａが下降位置に保持されるものである。なお図４は、可動片４２ａが下降位置にある状態を示している。
回転軸４３は、駆動ユニット基板４１の裏面から後方に突出するように設けられた軸である。
【００２３】
駆動レバー４４は、前記回転軸４３を中心として回動可能に支持された部材であり、一端が前記可動片４２ａに連結され、他端が前述の開閉部材３６や３７の後面から後方に伸びる連結軸（図示省略）に連結されている。この駆動レバー４４は、可動片４２ａの動作によって回動し、開閉部材３６や３７をスライドさせる駆動力伝達部材である。
ここで、可動片４２ａが下降位置にあるときには、開閉部材３６や３７は、前述の閉状態となっており、可動片４２ａが上昇位置に動くと、開閉部材３６や３７は、前述の開状態にスライドする構成となっている。
【００２４】
次に、センターケース１０内の遊技空間部に関連する構成について説明する。
センターケース１０の内部や裏面には、主に、次のような部材が設けられている。即ち、図５等に示す第１回転体４５、図７等に示すクリアユニット４６、図１０等に示す第２回転体４７（球移送用回転体）、図１１等に示す奥側外れ球誘導部材４８、図１１等に示す第３回転体４９、図１１等に示す裏ベース５０、及び図１２等に示すモータベース５１が設けられている。
まず、第１回転体４５は、図６に示すように、第１回転体本体５２と、この第１回転体本体５２の中心軸線上に裏面側から挿入されて固定される第１回転体駆動軸５３と、第１回転体本体５２の前面を覆うように第１回転体本体５２に固定される第１回転体化粧板５４とを有し、正面から見て反時計回りに回転駆動される回転体である。なお、この第１回転体４５（第１回転体本体５２、第１回転体駆動軸５３、及び第１回転体化粧板５４）は、前記ケース軸線を中心として配置される。
【００２５】
ここで第１回転体本体５２は、裏面側の大径円筒状部５２ａと前面側の小径円筒状部５２ｂとよりなる部材である。この第１回転体本体５２の小径円筒状部５２ｂの外周には、軸直角断面がＬ字型（靴下のような形）の溝であって小径円筒状部５２ｂの周面に開口する入賞球保留溝５２ｃが形成されている。この入賞球保留溝５２ｃの外周面側の開口部の側壁５２ｄ，５２ｅは、半径方向において、大径円筒状部５２ａの周面位置まで伸びている。またこの入賞球保留溝５２ｃは、図６に示す如く第１回転体本体５２の前面において開口しているが、組立て状態においては、第１回転体化粧板５４で覆われることによって、周面側にのみ開口する。またこの入賞球保留溝５２ｃの内部寸法は、少なくとも遊技球１個が流入可能な寸法となっている。このような構成によって、入賞球保留溝５２ｃの周面側の開口が頂部位置にあるときに、この開口から入った１個の遊技球は、入賞球保留溝５２ｃのＬ字型に曲がった奥に落下し、第１回転体本体５２がその後に反時計回りに回転しても、前記開口が最下端位置近傍にくるまで、この入賞球保留溝５２ｃから流出しない構成となっている。
【００２６】
また第１回転体駆動軸５３は、第１回転体本体５２に挿入される一端側にＤカット（回転力を伝達する継ぎ手を構成するために、断面がＤ字状になるよう加工すること）が施されており、挿入される第１回転体本体５２の裏面の中心穴５２ｆ（図１５に示す）がこのＤカットに対応した断面Ｄ字状とされることによって、一端側が第１回転体本体５２に回り止めされた状態で取り付けられる。そして、この第１回転体駆動軸５３の他端側は、図１５に示すように後方に伸びており、クリアユニット４６や第２回転体４７や第３回転体４９の中心軸線上を貫通してモータベース５１内に達している。この第１回転体駆動軸５３の他端側は、やはりＤカットが施され、図１５に示す軸継ぎ手５５によって、後述する第１モータ９１の出力軸９１ａに連結されている。
なお、図５や図１５における符号５３ａ，５３ｂは、第１回転体駆動軸５３（ひいては、第１回転体４５の全体）を自転可能に支持する軸受け（ブッシュ）を示す。
また、第１回転体本体５２と第１回転体化粧板５４は、透明又は半透明な材料によって構成され、透視可能（透光性有り）となっている。
また軸継ぎ手５５は、後述する位置検出センサ９４（図５に示す）の被検出部としても機能する。
【００２７】
次に、クリアユニット４６について説明する。
クリアユニット４６は、図８に示すように、第１入賞球誘導部材５６と、第２入賞球誘導部材５７と、隔壁部材５８と、囲繞部材５９とを備える。これら各部材５６〜５９は、全て透明又は半透明な材料によって構成され、透視可能となっている。
ここで、第１入賞球誘導部材５６は、前記ケース軸線を中心として第１回転体４５の周囲を取り囲むように配置される円筒状部５６ａを有する部材であり、隔壁部材５８の中央開口５８ｂに対して前面から取り付けられ、固定状態とされる部材である。この第１入賞球誘導部材５６の円筒状部５６ａの頂点位置には、入賞球誘導部５６ｂが形成されている。入賞球誘導部５６ｂは、開閉部材３６，３７が開放状態にある時に、前記切欠き３５ａ，３５ｂから流入した遊技球を受け入れる部分であり、受け入れられた遊技球は、この入賞球誘導部５６ｂの底部中央に左右に並んで形成された縦方向の誘導穴５６ｃ，５６ｄの何れかに落下する構成となっている。
なお、前記入賞球誘導部５６ｂや前述の切欠き３５ａ，３５ｂや開閉部材３６，３７は、本発明の入賞部を構成している。
【００２８】
そして、前記誘導穴５６ｃ，５６ｄには、ここを通過する遊技球を検出する球検出器６０ａ，６０ｂが取り付けられる。また、誘導穴５６ｃ，５６ｄの下端側（球検出器６０ａ，６０ｂの下流側）は、図１４に示すように、奥側に向かって曲がっており、後述する接続穴５７ｅ，５７ｆを介して後述する誘導流路５７ｄに連通している。このため、図１４に矢印で示すように、誘導穴５６ｃ，５６ｄに落下した遊技球は後述する誘導流路５７ｄに流入する。
また、円筒状部５６ａの底面には、ここに落下した遊技球を後方に流下させる傾斜面５６ｅが形成されている。
【００２９】
また、第２入賞球誘導部材５７は、全体として概略円盤状で中空の部材であり、第１入賞球誘導部材５６の裏面側に配置されて、隔壁部材５８の中央開口５８ｂに対して取り付けられ、固定状態とされる部材である。この第２入賞球誘導部材５７は、中心軸上に前述の第１回転体駆動軸５３が貫通するボス部５７ａが形成され、このボス部５７ａの周囲に内筒部５７ｂが形成されている。なお図１５に示すように、内筒部５７ｂ内には、前述の第１回転体本体５２の後部がはまり込んで摺動する。なおボス部５７ａは、前記ケース軸線を中心として配置される。
【００３０】
また、前記内筒部５７ｂの周囲には、正面から見て逆Ｕ字状の案内壁５７ｃが形成され、この案内壁５７ｃの外周側の空間が、入賞球の誘導流路５７ｄとなっている。そして、この誘導流路５７ｄの頂部は、第２入賞球誘導部材５７の上端部前面に形成された接続穴５７ｅ，５７ｆを介して、既述した如く前記誘導穴５６ｃ，５６ｄに連通している。また、この誘導流路５７ｄの頂部に流入した遊技球は、この誘導流路５７ｄ内の左側又は右側に流れ落ちて、最終的に第２入賞球誘導部材５７の底部中央に形成された誘導溝５７ｇ（図１４に示す）上に流れる構成となっている。なお、誘導溝５７ｇは底面が後方に向かって傾斜しており、またこの誘導溝５７ｇの後方には第２回転体４７の後述する小径円筒部４７ａの外周（球保持部６２ａ，６２ｂ）の最下端位置が位置する構成とされている。そのため、この誘導溝５７ｇに流れた遊技球は、後方に流れて、その時点で最下端位置にある小径円筒部４７ａの外周の球保持部６２ａ又は６２ｂ内に流入する。
また、前記内筒部５７ｂの頂部位置であって、前記内筒部５７ｂと案内壁５７ｃとの間の位置には、遊技球を後方から前方（第１回転体本体５２の頂部位置に向かう方向）に流下させる前方誘導流路５７ｉが形成されている。
【００３１】
また、第２入賞球誘導部材５７の下端（誘導溝５７ｇが形成された底部の下方）には、遊技球を後方に流す傾斜流路（符号省略）を内部に有する当り球誘導部５７ｈが形成されている。当り球誘導部５７ｈは、第２入賞球誘導部材５７の下端から前方に伸びるように形成されて、その先端が第１回転体本体５２の最下端位置下方に位置して上面が開口している。このため、前述した第１回転体４５の入賞球保留溝５２ｃに入ったまま最下端位置に回転移動してきた遊技球は、高確率でこの当り球誘導部５７ｈ内に落下する。
また、第２入賞球誘導部材５７の後面には、第１回転体駆動軸５３が配置される中心軸線を中心として、円環状の突起５７ｊ（図１５に示す）が形成されている。
【００３２】
次に隔壁部材５８は、センターケース１０内の前面側と後面側を区画する板状部５８ａを有する部材であり、板状部５８ａの周縁部が前面側ケース３１と裏面側ケース３２の間に挟まれた状態で、前面側ケース３１と裏面側ケース３２に対して固定される部材である。なお、前記板状部５８ａは、第２回転体４７等が配置された領域と前記ステージ部３４とを区画し、ステージ部３４に流入した遊技球が前記領域に混入しないようにする隔壁として機能する。
また、板状部５８ａの中心には、中央開口５８ｂが形成されている。中央開口５８ｂは、第２入賞球誘導部材５７等の部材を位置決めする（取り付け時の案内となる）とともに、これら部材との干渉を避けるための開口であり、詳細構成については説明を省略する。なお中央開口５８ｂは、前記ケース軸線を中心として配置される。
【００３３】
次に囲繞部材５９は、前面側の小径円筒状部５９ａと後面側の大径円筒状部５９ｂを有する部材であり、隔壁部材５８の中央開口５８ｂに対して裏側から取り付けられ、固定状態とされる部材である。ここで、小径円筒状部５９ａと、大径円筒状部５９ｂと、これらを連結する軸直角壁５９ｅとは、第２回転体４７の外周を取り囲む本発明の囲繞壁を構成している。また、この囲繞部材５９（小径円筒状部５９ａや大径円筒状部５９ｂ）は、前記ケース軸線を中心として配置される。
大径円筒状部５９ｂには、複数（本例では二つ）の開口部５９ｃ，５９ｄが形成されている。ここで、開口部５９ｃ，５９ｄは、前述した特別入賞部３９ａ，３９ｂにそれぞれ連通する位置に形成され、開口部５９ｃから流出した遊技球は特別入賞部３９ａに、開口部５９ｄから流出した遊技球は特別入賞部３９ｂに、それぞれ流入する構成となっている。
【００３４】
また、囲繞部材５９の下端部には、前述の当り球誘導部５７ｈの後端に連通する当り球導入部５９ｆが形成されている。この当り球導入部５９ｆは、当り球誘導部５７ｈ内を後方に流れた遊技球を受け入れ、これを大径円筒状部５９ｂ内の最下端位置（即ち、第２回転体４７の後述する大径円筒部４７ｂの最下端位置の球保持部６３）に流す機能を持つ。
また、囲繞部材５９の下端部（当り球導入部５９ｆの両側及び下方）には、外れ球排出部５９ｇが形成されている。外れ球排出部５９ｇは、前述した隔壁部材５８の板状部５８ａの下端中央を覆うように配置されて、板状部５８ａの下端中央の裏面側に、前面側外れ球排出流路６１（図１４に示す）を形成する部材である。この前面側外れ球排出流路６１は、図１４に矢印で示すように、前述した第１入賞球誘導部材５６の傾斜面５６ｅを流下した遊技球を受け入れ、これを外れ球（センターケース１０内には入賞したが、特別入賞部３９ａ，３９ｂ，３９ｃに入賞しなかった遊技球）としてセンターケース１０の下方に排出するものである。
【００３５】
次に、第２回転体４７について説明する。
第２回転体４７は、図９や図１０に示すように、前面側の小径円筒部４７ａと後面側の大径円筒部４７ｂとよりなる円盤状部を有する部材であり、前記ケース軸線を中心として配置されて、自転可能に支持された部材である。そして、小径円筒部４７ａの外周には、周縁部を切り欠くことにより、前記入賞部（入賞球誘導部５６ｂ）より受け入れられた遊技球を保持可能な複数の球保持部６２ａ，６２ｂが一定ピッチで全周に渡って形成されている。また、大径円筒部４７ｂの外周には、周縁部を切り欠くことにより、前記入賞部より受け入れられた遊技球を保持可能な複数の球保持部６３が一定ピッチで全周に渡って形成されている。ここで、小径円筒部４７ａの外周の球保持部６２ａ，６２ｂのうち、一方の球保持部６２ａは、後方に壁が有り、底面が前方に向かって遊技球を流すように傾斜している。しかし、他方の球保持部６２ｂは、後方に壁が無く、底面が後方に向かって遊技球を流すように傾斜している。また、球保持部６２ａ，６２ｂは周方向に例えば交互に形成されている。また、大径円筒部４７ｂの外周の球保持部６３は、内面が後方に向かって遊技球を流すように傾斜している。
【００３６】
また図１０に示すように、第２回転体４７を構成する前記円盤状部の後面側には、後方に伸びる円筒軸６４が一体的に設けられ、さらにこの円筒軸６４の後端には第２回転体従動ギア６５が固定されている。なお、円筒軸６４と第２回転体従動ギア６５は、第２回転体４７の中心軸線（即ち前記ケース軸線）を中心として設けられていて、前記第１回転体駆動軸５３は、これら円筒軸６４と第２回転体従動ギア６５内を貫通している（図１５参照）。なお、前述の軸受け５３ｂは、この第２回転体従動ギア６５の中心穴６５ａ（図１０に示す）にはめ込まれている。
【００３７】
また図９に示すように、第２回転体４７を構成する前記円盤状部の中心軸線上には、前述した第１回転体駆動軸５３が貫通して摺動する中心穴６６が形成されている。また、第２回転体４７を構成する前記円盤状部の前面には、前述した第２入賞球誘導部材５７の円環状の突起５７ｊがはまり込んで相対的に摺動する円環状溝６７が形成されている。
なお図１５に示すように、円筒軸６４は、裏ベース５０の後述する円筒状ボス７６内に挿入されて支持され、この円筒状ボス７６に対して摺動回転可能となっており、この支持構成と、上述の円環状の突起５７ｊと円環状溝６７の摺動可能な嵌め合わせ構造によって、第２回転体４７全体が他の回転体とは別個に自転可能に支持されている。
また、第２回転体４７は、図９等に矢印で示すように、正面から見て時計回りに回転駆動される。
【００３８】
次に、奥側外れ球誘導部材４８について説明する。
奥側外れ球誘導部材４８は、図９や図１１に示すように、前面側の小径円筒部４８ａと後面側の大径円筒部４８ｂとよりなる円盤状の部材であり、前記ケース軸線を中心として第２回転体４７の後面側（前述の裏面側ケース３２の円形状開口部３８の内側）に配置され、後述する裏ベース５０に取り付けられて固定状態とされる部材である。ここで、小径円筒状部４８ａと、大径円筒状部４８ｂと、これらを連結する軸直角壁４８ｃとは、第２回転体４７の外周を取り囲む本発明の囲繞壁を構成している。
前記小径円筒部４８ａの内側中心軸線上には、前面側に突出する円筒状ボス６８が形成されている。円筒状ボス６８は、裏ベース５０の後述する円筒状ボス７６の外周に取り付けられて、この円筒状ボス７６に固定され、これによって奥側外れ球誘導部材４８が裏ベース５０に固定されている。
【００３９】
そして、前記小径円筒部４８ａの内周側であって前記円筒状ボス６８の外周側には、第２回転体４７の球保持部６２ｂ内に保持された遊技球が、頂点位置に来たときに、この遊技球を受け入れて前記円筒状ボス６８の下方位置まで流下させる奥側外れ球誘導流路６９が、正面から見て左側に形成されている。
また、前記円筒状ボス６８の下方位置（前記奥側外れ球誘導流路６９の終端位置）には、奥側外れ球誘導流路６９を流下した遊技球を受け入れて奥側外れ球誘導部材４８の下部後方に排出する奥側外れ球排出口７０が形成されている。
【００４０】
また、この奥側外れ球誘導部材４８の外周における前述の特別入賞部３９ｃに対応する位置には、前述の球保持部６３に保持された遊技球を特別入賞部３９ｃに向けて流出させる開口部としての切欠き７１が形成されている。この切欠き７１は、大径円筒部４８ｂと軸直角壁４８ｃに形成されている。そして、球保持部６３に保持された遊技球が、この切欠き７１の位置にくると、後方に向けて流れてこの切欠き７１内に流入し、さらに後述する変換部材７３ａ，７３ｂ，７３ｃによってこの切欠き７１が開放状態になっていると、この切欠き７１から半径方向外側に遊技球が流れて、前述の特別入賞部３９ｃに流入して入賞する構成となっている。
なお、上記切欠き７１内の空間は、本発明の待機空間として機能する。即ち、上記切欠き７１の外周側が後述する変換部材７３ａ，７３ｂ，７３ｃによって閉鎖された閉鎖状態であったとしても、前記遊技球が前記球保持部６３から必ず流出して、開放状態となるまで一時的に前記遊技球が上記切欠き７１内に待機する。
また、奥側外れ球誘導部材４８は、透明又は半透明な材料によって構成され、透光性を有する。
【００４１】
次に、第３回転体４９について説明する。
第３回転体４９は、図１１や図１５に示すように、円盤状部４９ａからなる部材であり、前記ケース軸線を中心として奥側外れ球誘導部材４８の後面側に自転可能に配置される。この円盤状部４９ａの外周部には、後方に突出する円筒状部４９ｂが形成され、この円筒状部４９ｂの内周面には、後述する第３回転体駆動ギア８５が噛み合う内歯４９ｃ（図１２に示す）が全周に渡って形成されている。また、円盤状部４９ａの中心には、前面側に突出する円筒状ボス４９ｄが形成されている。この円筒状ボス４９ｄは、図１５に示すように、前述の円筒状ボス６８の内周と後述する円筒状ボス７６の外周との間に挟まれるように配されて、円筒状ボス６８や円筒状ボス７６に対して摺動回転可能とされ、これによって第３回転体４９が前記ケース軸線を中心として他の回転体とは別個に自転可能となっている。
【００４２】
また、円盤状部４９ａにおけるボス部４９ｄの周囲４箇所の位置には、前後に貫通する開口７２が形成されている。この開口７２は、前述した奥側外れ球排出口７０から排出される遊技球を後方に流出させる開口である。
また、円盤状部４９ａの外周３箇所の位置には、変換部材７３ａ，７３ｂ，７３ｃが固定される。これら変換部材７３ａ，７３ｂ，７３ｃは、それぞれ、回転壁７４ａ，７４ｂ，７４ｃと、これら回転壁７４ａ，７４ｂ，７４ｃの外方に張り出した装飾部７５ａ，７５ｂ，７５ｃと、を有する。回転壁７４ａ，７４ｂ，７４ｃは、円盤状部４９ａの外周３箇所の位置から前方に伸びる断面円弧状の板状部分であり、前記大径円筒状部５９ｂと小径円筒部４８ａ（囲繞壁）に沿って回転する。装飾部７５ａ，７５ｂ，７５ｃは、回転壁７４ａ，７４ｂ，７４ｃの先端から軸直角方向外側に張り出した板状部分であり、この前面には前面から視認可能な装飾を施すことができる。
【００４３】
なお図１５に示すように、回転壁７４ａ，７４ｂ，７４ｃは、前述の裏面側ケース３２の円形状開口部３８の内側を貫通している。
また、回転壁７４ａ，７４ｂ，７４ｃは、前記大径円筒状部５９ｂと小径円筒部４８ａ（囲繞壁）に沿って回転することによって、第２回転体４７の球保持部６３に保持された遊技球を流出させる開口部（開口部５９ｃ，５９ｄや切欠き７１）を閉鎖する閉鎖状態とこれら開口部を開放する開放状態とに変換する。
また、第３回転体４９（変換部材７３ａ，７３ｂ，７３ｃを除く）は、透明又は半透明な材料によって構成され、透光性を有する。
【００４４】
次に、裏ベース５０について説明する。
裏ベース５０は、図１１や図１２に示すように、円盤状部５０ａからなる部材であり、前記ケース軸線を中心として第３回転体４９の後面側に配置される。この裏ベース５０は、円盤状部５０ａの外周部において、裏面側ケース３２に固定されている。
また、裏ベース５０の中心には、前面側に突出する円筒状ボス７６が形成されている。この円筒状ボス７６の外周側には、既述したように、第３回転体４９の円筒状ボス４９ｄが摺動回転可能に取り付けられるとともに、奥側外れ球誘導部材４８の円筒状ボス６８が固定されている。また、この円筒状ボス７６の内周側には、既述したように、第２回転体４７の円筒軸６４が挿入される。
【００４５】
また、裏ベース５０の前面における外周部には、第３回転体４９の前記円筒状部４９ｂが配置される円環状溝７７が形成されている。なお図１２に示すように、裏ベース５０を裏面側から見て右側の位置には、前記円環状溝７７内を露出させる開口７８が形成され、この開口７８から前記円筒状部４９ｂに形成された内歯４９ｃが露出する構成となっている。
また、裏ベース５０の前面における円筒状ボス７６の下方位置には、第３回転体４９の前記開口７２を介して奥側外れ球誘導部材４８の前記奥側外れ球排出口７０に連通する開口７９が形成されている。この開口７９は、前後に開口しており、後面側は後述する奥側外れ球排出流路９６に連通しており、前記奥側外れ球排出口７０から後方に排出された遊技球を、図１５に矢印で示すように後述する奥側外れ球排出流路９６に誘導する。
【００４６】
また、裏ベース５０の裏面には、ギア配置領域８１，８２，８３が形成されている。ギア配置領域８１は、裏ベース５０の中心軸（即ち，前記ケース軸線）を中心とする略円形領域であり、前記第２回転体従動ギア６５が配置される。ギア配置領域８２は、裏面から見てギア配置領域８１の左側に隣接して配置された略円形領域であり、第２回転体駆動ギア８４（図９に示す）がここに配置される。ギア配置領域８３は、裏面から見てギア配置領域８１の右側に隣接して配置された略円形領域であり、第３回転体駆動ギア８５（図１２に示す）がここに配置される。
ここで、第２回転体駆動ギア８４は、第２回転体従動ギア６５に噛み合って、この第２回転体従動ギア６５を駆動するギアである。また、第３回転体駆動ギア８５は、前記内歯４９ｃに噛み合って第３回転体４９を駆動するギアである。
なお、裏ベース５０は、透明又は半透明な材料によって構成され、透光性を有する。
【００４７】
次に、モータベース５１について説明する。
モータベース５１は、図９や図１２に示すように、ケース部５１ａ，５１ｂ，５１ｃと、奥側外れ球排出部５１ｄとを有し、裏ベース５０の後面に固定される部材である。
ここでケース部５１ａは、前面が開口した円筒状箱型の部分であり、前記ギア配置領域８１を覆うように前記ケース軸線を中心として配置される。このケース部５１ａ内には、前述した軸継ぎ手５５が配置され、またこのケース部５１ａの裏面には、第１モータ９１が取り付けられる。第１モータ９１の出力軸９１ａは、前記ケース軸線を中心として配置され、ケース部５１ａ内に伸びており、既述したように軸継ぎ手５５によって第１回転体駆動軸５３の後端に連結され、この第１モータ９１の作動によって、第１回転体駆動軸５３を含む第１回転体４５が回転する構成となっている。
【００４８】
またケース部５１ｂは、やはり前面が開口した円筒状箱型の部分であり、前記ギア配置領域８２を覆うようにケース部５１ａの左隣（裏面から見て）に配置される。このケース部５１ｂの裏面には、第２モータ９２が取り付けられる。第２モータ９２の出力軸９２ａ（図９に示す）は、前記第２回転体駆動ギア８４と同軸上に配置され、ケース部５１ｂ内に伸びており、第２回転体駆動ギア８４の中心穴に連結され、この第２モータ９２の作動によって、第２回転体従動ギア６５を含む第２回転体４７が回転する構成となっている。
【００４９】
またケース部５１ｃは、やはり前面が開口した円筒状箱型の部分であり、前記ギア配置領域８３を覆うようにケース部５１ａの右隣（裏面から見て）に配置される。このケース部５１ｃの裏面には、第３モータ９３が取り付けられる。第３モータ９３の出力軸（図示省略）は、前記第３回転体駆動ギア８５と同軸上に配置され、ケース部５１ｃ内に伸びており、前記第３回転体駆動ギア８５の中心穴に連結され、この第３モータ９３の作動によって、第３回転体４９が回転する構成となっている。
【００５０】
また図５に示すように、ケース部５１ａ内における出力軸９１ａの側方には、光学式の位置検出センサ９４が設けられている。位置検出センサ９４は、軸継ぎ手５５の後面に形成された突起９５の通過を検出するもので、この突起９５が位置検出センサ９４の検出部に進入すると位置検出センサ９４の検出信号が立ち上がるか又は立ち下がる。そして、第１回転体４５の前記入賞球保留溝５２ｃが頂点位置にくると、突起９５が位置検出センサ９４の検出部に進入する設定となっている。また、前記図示省略した本パチンコ機の制御装置は、この検出信号の立ち上がり又は立ち下りを読み取ると、第１モータ９１を所定時間停止して、第１回転体４５をこの位置（入賞球保留溝５２ｃが頂点にくる位置）に所定時間保持する構成となっている。
【００５１】
また、奥側外れ球排出部５１ｄは、内部に外れ球を排出するための流路（奥側外れ球排出流路９６）を構成するものである。図５に矢印で示すように、この奥側外れ球排出流路９６に流入した遊技球は、この奥側外れ球排出流路９６の下端の開口からセンターケース１０の下方に排出される。
なお、モータベース５１は、透明又は半透明な材料によって構成され、透光性を有する。
【００５２】
Ｃ．センターケース内の遊技球の流れ
次に、本例のセンターケース１０内（ステージ部３４を除く）における遊技球の流れや、そのための制御や各部材の動作について説明する。
まず、図示省略した制御装置は、第１回転体４５については、正面から見て常に反時計回りに例えば約２秒／周の周期で回転させ、既述したように、前記入賞球保留溝５２ｃが頂点位置にきた時には、所定時間だけ第１回転体４５の回転を停止させ、所定時間が経過するとまた同方向に回転させる制御を継続する。なお、このように入賞球保留溝５２ｃを頂点位置で停止させる制御は、所定の条件（例えば、特定の遊技状態になったこと）が成立したときのみ実行する態様でもよい。
また、第２回転体４７（球移送用回転体）と第３回転体４９（回転壁）については、何れも同方向（この場合、正面から見て常に時計回り）に回転させる。但し、各回転体４７，４９の回転周期は同一ではなく、異なる回転周期で回転させる。例えば、第２回転体４７は約７秒／周の周期で回転させ、第３回転体４９は、約５秒／周の周期で回転させる。このように異なる回転周期で回転させることによって、相対位置が変化し、既述した変換部材７３ａ，７３ｂ，７３ｃによる開閉動作（前記閉鎖状態と開放状態の切換え）が実現される。
【００５３】
そして、開放された入賞部（開閉部材３６，３７により開放された切欠き３５ａ，３５ｂ）から流入した遊技球は、図１４に示すように、第１入賞球誘導部材５６の入賞球誘導部５６ｂに受け入れられ、誘導穴５６ｃ，５６ｄの何れかに落下する。次いで、第２入賞球誘導部材５７の接続穴５７ｅ，５７ｆを介して誘導流路５７ｄの頂部に流入する。そして、誘導流路５７ｄの頂部に流入した遊技球は、この誘導流路５７ｄ内の左側又は右側に流れ落ちて、最終的に第２入賞球誘導部材５７の底部中央に形成された誘導溝５７ｇ上に流れる。この誘導溝５７ｇに流れた遊技球は、後方に流れて、その時点で最下端位置にある第２回転体４７の小径円筒部４７ａの球保持部６２ａ又は６２ｂ内に流入する。
【００５４】
次に、球保持部６２ａ又は６２ｂ内に流入した遊技球は、この球保持部６２ａ又は６２ｂ内に保持されて第２回転体４７の回転に伴って頂部に移送され、頂部に到達すると前方又は後方に流れ落ちる。球保持部６２ａの場合には、図１４に矢印で示すように前方に向かって流下し、球保持部６２ｂの場合には、後方に流下する。
そして、球保持部６２ｂから後方に流下した遊技球は、図１５に示すように、奥側外れ球誘導部材４８の奥側外れ球誘導流路６９を流下して奥側外れ球排出口７０に到達し、第３回転体４９の開口７２がこの奥側外れ球排出口７０の位置にきたときに、この開口７２から後方に流れ、裏ベース５０の開口７９を経由してモータベース５１の奥側外れ球排出流路９６に流れ、ここからセンターケース１０の下方に排出される。
【００５５】
一方、球保持部６２ａから前方に流下した遊技球は、第２入賞球誘導部材５７の前方誘導流路５７ｉを経由して第１回転体本体５２の頂部位置に落下し、この時点で入賞球保留溝５２ｃの開口が頂部位置にあれば、入賞球保留溝５２ｃ内に入り、そうでなければ、第１回転体本体５２の周囲を落下する。
なお、こうして第１回転体本体５２の周囲を落下した遊技球は、図１４に矢印で示すように、第１入賞球誘導部材５６の底面に形成された傾斜面５６ｅ上を後方に流れ、前面側外れ球排出流路６１を経由してセンターケース１０の下方に排出される。
【００５６】
そして、入賞球保留溝５２ｃ内に入った遊技球は、第１回転体４５の回転に伴って下方に移送され、最下端位置にきた時に入賞球保留溝５２ｃから排出されて、第２入賞球誘導部材５７の当り球誘導部５７ｈ内に高確率で落下する。なお、当り球誘導部５７ｈ内に落下しなかった遊技球は、前述の傾斜面５６ｅや前面側外れ球排出流路６１を経由してセンターケース１０の下方に排出される。
次に、当り球誘導部５７ｈ内に落下した遊技球は、図１５に矢印で示すように、囲繞部材５９の当り球導入部５９ｆを経由して、第２回転体４７の大径円筒部４７ｂの最下端位置に流れ、球保持部６３内に入る。
次いで、球保持部６３内に流入した遊技球は、この球保持部６３内に保持されて第２回転体４７の回転に伴って移送される。
【００５７】
そして、球保持部６３内に保持されて移送される遊技球は、まず囲繞部材５９の１番目の開口部５９ｃの位置にきた時に、この開口部５９ｃが開放状態にあれば、この開口部５９ｃから流出して１番目の特別入賞部３９ａに流入する。なお、こうして特別入賞部３９ａに入賞した遊技球は、前述の部材３２ｄで構成された排出流路３２ｃを経由してセンターケース外に排出される。
また、１番目の開口部５９ｃから流出せずに、さらに球保持部６３内に保持されて移送された遊技球は、次に２番目の開口部５９ｄの位置にきた時に、この開口部５９ｄが開放状態にあれば、この開口部５９ｄから流出して２番目の特別入賞部３９ｂに流入する。
また、２番目の開口部５９ｄから流出せずに、さらに球保持部６３内に保持されて移送された遊技球は、次に３番目の開口部（奥側外れ球誘導部材４８の切欠き７１）の位置にきた時に、この開口部内（切欠き７１内）に流入し、この開口部が開放状態にあれば、この開口部から流出して３番目の特別入賞部３９ｃ（最終入賞領域）に流入する。
【００５８】
ここで、上記遊技球が３番目の開口部（切欠き７１）の位置にきた時には、この開口部が閉鎖状態にあった場合でも、当該遊技球を保持する球保持部６３の球載置面が後方に下り傾斜しているため、当該遊技球は球保持部６３から上記切欠き７１内（待機空間内）に流出し、その後にこの切欠き７１が開放状態になった時に、特別入賞部３９ｃに流入する。このため、球保持部６３に保持されて移送される遊技球は、第２回転体４７が１回転するうちに、必ず何れかの特別入賞部への入賞を確定させる。
また、特別入賞部３９ｂや３９ｃに入賞した遊技球は、前述の部材３２ｈで構成された排出流路を経由してセンターケース外に排出される。
【００５９】
Ｄ．遊技の概要
次に、本形態例のパチンコ機で行われる遊技の概要や遊技の流れについて説明する。
まず、遊技開始当初の時点（或は遊技開始前の時点）では、特図表示器２０には所要の停止図柄が表示される。
ガイドレール２を介して遊技領域３に打込まれた遊技球が、始動入賞口１１に入賞すると（即ち、特図の始動入賞があると）、特図表示器２０において特図の変動表示が行われて、変動表示ゲームが行われる。
【００６０】
そして、この変動表示ゲームの停止表示態様（変動表示により導出された特図）が特別表示態様（例えば、「７」）であれば、大当りと呼ばれる特典が遊技者に付与される。また、前記停止表示態様が他の特別表示態様（例えば、「３」）であれば、小当たりと呼ばれる特典が付与される。なお制御上は、例えば始動入賞があったことを条件として、当り乱数の値が抽出記憶されて、この抽出記憶された乱数値と予め設定された判定値とが判定時に比較判定され、この比較判定結果に基づいて、予め大当りとするか否か、或いは小当たりとするか否かが決定され、この決定に応じて前記変動表示ゲームが開始される。
なお、上記変動表示ゲームによって大当りとなる確率は低く、これに対して小当たりとなる確率は高く設定されている。
【００６１】
上記小当たりになると、開閉部材３６，３７を所定時間だけ開状態として切欠き３５ａ，３５ｂを開放する動作が所定回数実行される小当たり遊技状態に移行する。そして、この小当たり遊技状態中にセンターケース１０内に前述した如く入賞した遊技球が、前述したような経路を経て、特別入賞部３９ａ，３９ｂ，３９ｃの何れかに入賞すると、大当りとなる。
なお、この大当りが本発明の賞態様に相当する。
【００６２】
前記大当り状態（特図の変動表示ゲームの結果として大当りになる場合含む）になると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば入賞の種類に応じて設定されたラウンド数まで行われる。例えば、１番目の特別入賞部３９ａに入賞して大当りとなった場合には１ラウンドまで、２番目の特別入賞部３９ｂに入賞して大当りとなった場合には７ラウンドまで、３番目の特別入賞部３９ｃに入賞して大当りとなった場合には１５ラウンドまで実行される。また、前記変動表示ゲームの結果として大当りとなった場合には、例えば１５ラウンドまで上記開放動作が実行される。
【００６３】
また、前記特図の変動表示ゲーム中又は大当り中或いは小当たり中に、始動入賞口１１にさらに遊技球が入賞したときには、この場合特図記憶表示器２１で特図始動記憶表示が行われて例えば４個まで記憶され、変動表示ゲーム又は大当り或いは小当たりが終了した後に、その記憶（即ち、始動記憶）に基づいて前記特図の変動表示ゲームが繰り返される。
例えば、変動表示ゲームが大当たり又は小当たりで終了すれば大当たり又は小当たり状態に移行し、小当たり遊技で大当りになれば大当り状態に移行し、小当たり遊技や変動表示ゲームがはずれで終了し始動記憶があれば再度変動表示ゲームが実行され、大当たりが終了して始動記憶があれば再度変動表示ゲームが実行される。
【００６４】
一方、遊技中に、遊技球が普図始動ゲート１９を通過したときは、普図表示器１７での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞し易くなり、その分、特図の変動表示ゲームの実施回数が増えて大当り又は小当たりになる可能性が増す。
また、前記普図の変動表示ゲーム中に、普図始動ゲート１９にさらに遊技球が入賞したときには、普図記憶表示器１８で普図始動記憶表示が実行されてこの場合４個まで記憶され、普図の変動表示ゲームの終了後に、その記憶に基づいて前記普図の変動表示ゲームが繰り返される。
【００６５】
以上説明した本例の遊技機によれば、既述したように、センターケース１０内に流入（入賞）した遊技球が、複雑な経路や過程を経て、運が良ければ第２回転体４７の大径円筒部４７ｂ（移送用回転体）の球保持部６３にたどり着き、この第２回転体４７の移送によって、特賞態様（大当り）の内容（この場合、大当りラウンド数）が異なる複数の特別入賞部の何れかに入賞するという、興趣の高い小当たり遊技が実行される。
しかも本例の遊技機によれば、第２回転体４７の大径円筒部４７ｂの球保持部６３に保持された遊技球の各特別入賞部への誘導が変換部材７３ａ，７３ｂ，７３ｃにより許容されたり阻止されたりするので、第２回転体４７の大径円筒部４７ｂによる遊技球の移送途上で結果が判明してしまうこと（少なくとも球保持部６３に誘導された時点で結果が判明してしまうこと）を防止できる。これにより、第２回転体４７の大径円筒部４７ｂによる移送中の遊技球を遊技者は常に期待感を抱きながら見ることになり、興趣を格段に向上できる。
【００６６】
また、本例の遊技機によれば、装飾部７５ａ，７５ｂ，７５ｃに装飾を施すことによって、第２回転体４７等により遊技球が移送される状態の視認性を妨げることなく変換部材７３ａ，７３ｂ，７３ｃを装飾できる。
また、本例の遊技機によれば、遊技球を挟み込むトラブルの可能性を低減できる。というのは、第２回転体４７と変換部材７３ａ，７３ｂ，７３ｃとが逆回転だとすると、囲繞壁（囲繞部材５９）の開口部５９ｃ，５９ｄにおいて、変換部材７３ａ，７３ｂ，７３ｃの回転壁７４ａ，７４ｂ，７４ｃと第２回転体４７とで遊技球を挟み込んでしまうトラブルが発生する可能性が高く、このトラブルが発生すると第２回転体４７及び変換部材７３ａ，７３ｂ，７３ｃが動かなくなり、遊技球の振り分けの支障となるが、第２回転体４７と変換部材７３ａ，７３ｂ，７３ｃとを同方向に回転させているから、上記のように遊技球を挟み込んでしまう可能性を低くできる。また、第２回転体４７と変換部材７３ａ，７３ｂ，７３ｃの回転周期を異ならせることにより、これらを同方向に回転させる構成であるにもかかわらず、前記開口部５９ｃ，５９ｄを閉鎖状態と開放状態とに変換する変換部材としての機能を十分に実現できる。
【００６７】
また、本例の遊技機によれば、最終入賞領域３９ｃに対応する開口部（切欠き７１）が閉鎖状態であったとしても、第２回転体４７の球保持部６３によって当該開口部の位置まで移送された遊技球は、前記待機空間内（切欠き７１内）に流出し、その後に当該開口部が開放状態になった時に、最終入賞領域３９ｃに流入する。このため、第２回転体４７の球保持部６３に保持されて移送される遊技球は、第２回転体４７が１回転するうちに、必ず何れかの特別入賞部への入賞を確定させる。したがって、第２回転体４７の球保持部６３で移送される遊技球の特別入賞部（入賞領域）の入賞先が長期間確定せず、遊技者がいらいらしてしまうといった不具合を回避できる。
【００６８】
また、本例の遊技機によれば、変換部材７３ａ，７３ｂ，７３ｃの回転壁７４ａ，７４ｂ，７４ｃの周方向の長さを変更することによって、ラウンド振分け率を調整可能である。例えば、回転壁７４ａ，７４ｂ，７４ｃを長くすると、最終入賞領域３９ｃに入賞し易くなり、例えば１５ラウンドの大当りが発生し易くなる。また、前記入賞球保留溝５２ｃが頂点位置となる角度で第１回転体４５を停止させる時間や頻度を変更することによって、或いは、第２回転体４７の小径円筒部４７ａの球保持部６２ａと球保持部６２ｂの数の割合を変更することによって、入賞部より流入した遊技球の特別入賞部３９ａ，３９ｂ，３９ｃのいずれかに到達する確率を調整可能である。
【００６９】
なお、本発明は上述した形態例に限られず、各種の変形や応用があり得る。
例えば、本発明の変換部材は、上述したような回転壁よりなるものに限られず、図１８や図１９に示すように、前後動する開閉板１００によって、囲繞壁の開口部（例えば、前記開口部５９ｄ）を開閉する態様でもよい。
また、センターケース１０内において流れたり保持されたり移送される遊技球を、遊技者がより見易くなるように、またこの遊技球の状態を演出するために、例えばセンターケース１０の裏面から光を照射し、この光の点灯状態や色を各種制御するようにしてもよい。
また、特別入賞部３９ａ，３９ｂ，３９ｃのうちのどれかを、大当りとならない単なる排出路としてもよい。この場合、そこには球検出器を設ける必要は必ずしもない。さらにこの場合、第１回転体４５等による上流側の振分け機構を削除して、第２回転体４７の球保持部６３による振分けのみの構成としてもよい。
【００７０】
また、変換部材による閉鎖状態になっている時には、最終入賞領域３９ｃについても、球保持部６３によって保持された遊技球が回転移動して通過してゆく態様（第２回転体４７が１回転より多く回転しないと保持された遊技球の入賞先が決まらないことがあり得る態様）としてもよい。但しこの場合には、センターケース１０内に連続して入賞する遊技球があった場合に、球保持部６３への球導入部５９ｆにおいて遊技球が滞留する恐れがあるとともに、既述したように遊技球の入賞先が長時間決まらずに遊技者がいらいらするといった不具合があり得るため、その点では前述の形態例の態様が優れている。
【００７１】
また、今回開示された実施の形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【図面の簡単な説明】
【００７２】
【図１】パチンコ機の遊技盤の前面図である。
【図２】センターケースの前面図である。
【図３】センターケースの前面側斜視図である。
【図４】センターケースの裏面側斜視図である。
【図５】センターケースから第１回転体等を取り外した状態の前面側斜視図である。
【図６】第１回転体の分解斜視図である。
【図７】センターケースのレンズユニット等を示す前面側斜視図である。
【図８】センターケースのレンズユニットの分解斜視図である。
【図９】センターケースの第２回転体等を示す前面側斜視図である。
【図１０】センターケースの第２回転体（球移送用回転体）を示す斜視図である。
【図１１】センターケースの第３回転体（変換部材）等を示す前面側斜視図である。
【図１２】センターケースの裏ベース等を示す裏面側斜視図である。
【図１３】裏面側ケースと特別入賞部を示す斜視図である。
【図１４】図２におけるＡ−Ａ断面図である。
【図１５】図２におけるＢ−Ｂ断面図である。
【図１６】センターケースの囲繞壁等（開口部の閉鎖状態）を示す前面側斜視図である。
【図１７】センターケースの囲繞壁等（開口部の開放状態）を示す前面側斜視図である。
【図１８】他の例のセンターケースの囲繞壁等（開口部の閉鎖状態）を示す前面側斜視図である。
【図１９】他の例のセンターケースの囲繞壁等（開口部の開放状態）を示す前面側斜視図である。
【符号の説明】
【００７３】
１  遊技盤
３  遊技領域
１０  センターケース（遊技装置）
３１  前面側ケース
３２  裏面側ケース
３５ａ，３５ｂ  切欠き（入賞部）
３６，３７  開閉部材（入賞部）
３９ａ，３９ｂ  特別入賞部（入賞領域）
３９ｃ  特別入賞部（最終入賞領域）
４０ａ，４０ｂ，４０ｃ  球検出器
４７  第２回転体（球移送用回転体）
４８ａ  小径円筒状部（囲繞壁）
４８ｂ  大径円筒状部（囲繞壁）
４８ｃ  軸直角壁（囲繞壁）
５６ｂ  入賞球誘導部（入賞部）
５９  囲繞部材
５９ａ  小径円筒状部（囲繞壁）
５９ｂ  大径円筒状部（囲繞壁）
５９ｃ，５９ｄ  開口部
５９ｅ  軸直角壁（囲繞壁）
６３  球保持部
７３ａ，７３ｂ，７３ｃ  変換部材
７４ａ，７４ｂ，７４ｃ  回転壁
７５ａ，７５ｂ，７５ｃ  装飾部
７１  切欠き（開口部、待機空間）
【図１】
2007215718.tif 000003
【図２】
2007215718.tif 000004
【図３】
2007215718.tif 000005
【図４】
2007215718.tif 000006
【図５】
2007215718.tif 000007
【図６】
2007215718.tif 000008
【図７】
2007215718.tif 000009
【図８】
2007215718.tif 000010
【図９】
2007215718.tif 000011
【図１０】
2007215718.tif 000012
【図１１】
2007215718.tif 000013
【図１２】
2007215718.tif 000014
【図１３】
2007215718.tif 000015
【図１４】
2007215718.tif 000016
【図１５】
2007215718.tif 000017
【図１６】
2007215718.tif 000018
【図１７】
2007215718.tif 000019
【図１８】
2007215718.tif 000020
【図１９】
2007215718.tif 000021